(57)【要約】【課題】  光ディスクに記録されている番組の映像音声信号の編集時に、タイトルを消去する場合、ユーザの誤操作による番組の映像音声信号の消去を防止することができるようにする。【解決手段】  編集動作の実行を確認する編集確認モードのＯＮ／ＯＦＦを設定し、編集モードのタイトルの消去が選択されたとき、光ディスクに記録されている番組のタイトル一覧を表示し、表示されたタイトル一覧の中の消去するタイトルを選択し、編集動作の確認モードがＯＮに設定されている場合に、選択されたタイトルの消去を確認し、確認されたタイトルの消去が選択されたとき、選択されたタイトルの消去を再確認し、再確認されたタイトルの消去が選択されたとき、選択されたタイトルを光ディスクから消去するようにする。【選択図】        図３
2007018638.tif 000002
【特許請求の範囲】
【請求項１】
映像音声信号を書き換え可能な光ディスクに記録再生するディスク装置であって、
編集動作の実行を確認する編集確認モードのＯＮ／ＯＦＦを設定する確認モード設定手段と、編集モードのタイトルの消去が選択されたとき、光ディスクに記録されている番組のタイトル一覧を表示する表示手段と、前記表示手段により表示されたタイトル一覧の中の消去するタイトルを選択する選択手段と、前記確認モード設定手段により編集動作の確認モードがＯＮに設定されている場合に、前記選択手段により消去するタイトルが選択されたとき、選択されたタイトルの消去を確認する確認画面を表示して、選択されたタイトルの消去を確認する確認手段と、前記確認手段により確認されたタイトルの消去が選択されたとき、選択されたタイトルの消去を再確認する再確認画面を表示して、選択されたタイトルの消去を再確認する再確認手段と、前記再確認手段により再確認されたタイトルの消去が選択されたとき、選択されたタイトルを光ディスクから消去する消去手段とを備えたことを特徴とするディスク装置。
【請求項２】
映像音声信号を書き換え可能な光ディスクに記録再生するディスク装置であって、
編集動作の実行を確認する編集確認モードのＯＮ／ＯＦＦを設定する確認モード設定手段と、編集モードのタイトルの消去が選択されたとき、光ディスクに記録されている番組のタイトル一覧を表示する表示手段と、前記表示手段により表示されたタイトル一覧の中の消去するタイトルを選択する選択手段と、前記確認モード設定手段により編集動作の確認モードがＯＮに設定されている場合に、前記選択手段により消去するタイトルが選択されたとき、選択されたタイトルの消去を確認する確認手段と、前記確認手段により確認されたタイトルの消去が選択されたとき、選択されたタイトルの消去を再確認する再確認手段と、前記再確認手段により再確認されたタイトルの消去が選択されたとき、選択されたタイトルを光ディスクから消去する消去手段とを備えたことを特徴とするディスク装置。
【請求項３】
前記確認手段は、前記選択手段により選択されたタイトルの消去を確認するタイトルの消去の確認画面を表示して、選択されたタイトルの消去を確認する確認手段であることを特徴とする請求項２記載のディスク装置。
【請求項４】
前記再確認手段は、前記確認手段により確認されたタイトルの消去を再確認するタイトルの消去の再確認画面を表示して、選択されたタイトルの消去を再確認する再確認手段であることを特徴とする請求項２記載のディスク装置。
【発明の詳細な説明】
【技術分野】
【０００１】
本発明は、映像音声信号をＤＶＤ−ＲＷ（Ｄｉｇｉｔａｌ  Ｖｅｒｓａｔｉｌｅ  Ｄｉｓｃ−ＲｅＷｒｉｔａｂｌｅ）等の書き換え可能な光ディスクに記録再生するディスク装置に係り、特に光ディスクに記録されている映像音声信号の編集時に、映像音声信号の誤消去を防止することができるディスク装置に関する。
【背景技術】
【０００２】
一般に、テレビ放送番組等の映像音声信号をＤＶＤ−ＲＷ等の書き換え可能な光ディスクに記録し、光ディスクに記録されている番組の映像音声信号を再生して視聴するということが行われている。そして、光ディスクに記録されている番組の映像音声信号を再生して視聴し、その番組が不要になった場合、他の番組の映像音声信号を記録するために、ユーザがその不要になった番組の映像音声信号を光ディスクから消去して、光ディスクの記録領域の空き領域が不足しないようにしている。しかし、光ディスクに記録されている番組の映像音声信号の編集時に、ユーザが操作を誤って別番組の映像音声信号を不用意に消去してしまうという問題点があった。
背景技術としては、消去指示されたとき、所定プログラムがグループ化するための管理情報にて管理されているか否かを判別して、消去指示された所定プログラムがグループ化するための管理情報にて管理されている場合には、消去動作を行う前に警告するようにしたものがあった（例えば、特許文献１参照）。
また、所定の記録媒体に記録されている複数データの一括消去が指示されたとき、各データのプロテクト状態を検出し、プロテクト状態のデータが１つでも検出された場合、プロテクト状態を除くデータを消去対象として選択して、選択されたデータを記録媒体から消去するようにしたものがあった（例えば、特許文献２参照）。
また、予約記録時に、記録領域の記録可能時間を算出して、記憶可能容量が不足するとき、記録容量不足を表示し、記録中に、記録容量不足により記録領域の先頭に戻って上書き記録を開始するとき、記録容量不足を表示し、予め設定された優先順位で消去対象ファイルを表示して、消去指令に従ってファイルを選択的に消去しつつ上書き記録を行うようにしたものがあった（例えば、特許文献３参照）。
また、記録媒体のデフラグの実行するか否かの警告表示に対して、デフラグを実行しない旨が指示された場合は、クレードル動作、また、情報記録再生装置の充電動作を実行し、デフラグの実行が指示された場合は、記録媒体のデフラグを実行した後に本来の動作を実行するようにしたものがあった（例えば、特許文献４参照）。
【特許文献１】特開２００３−５１１７９号公報
【特許文献２】特開２００４−７９００５号公報
【特許文献３】実用新案登録第３０８９１６５号公報
【特許文献４】特開２００４−２９５７５５号公報
【発明の開示】
【発明が解決しようとする課題】
【０００３】
しかしながら、背景技術で述べたもののうち最初のものにおいては、消去指示されたとき、所定プログラムがグループ化するための管理情報にて管理されているか否かを判別して、消去指示された所定プログラムがグループ化するための管理情報にて管理されている場合には、消去動作を行う前に警告することができたが、管理情報にて管理されていないプログラムの消去が指示されたとき、消去動作が警告されずに消去指示されたプログラムが消去されてしまうという問題点があった。
また、次のものにおいては、所定の記録媒体に記録されている複数データの一括消去が指示されたとき、各データのプロテクト状態を検出し、プロテクト状態のデータが１つでも検出された場合、プロテクト状態を除くデータを消去対象として選択して、選択されたデータを記録媒体から消去することができたが、誤って複数データの一括消去が指示されたとき、複数データのいずれもがプロテクト状態でない場合は、複数データが全て消去されてしまうという問題点があった。
また、更にその次のものにおいては、予約記録時に、記録領域の記録可能時間を算出して、記憶可能容量が不足するとき、記録容量不足を表示し、記録中に、記録容量不足により記録領域の先頭に戻って上書き記録を開始するとき、記録容量不足を表示し、予め設定された優先順位で消去対象ファイルを表示して、消去指令に従ってファイルを選択的に消去しつつ上書き記録を行うことができたが、記録容量不足により記録領域の先頭に戻って上書き記録を開始するときに、残り記録容量不足のために上書き記録する旨をユーザに知らせるようにしたものであって、上記問題点を解決するようにしたものではなかった。
また、更にその次のものにおいては、記録媒体のデフラグの実行するか否かの警告表示に対して、デフラグを実行しない旨が指示された場合は、クレードル動作、また、情報記録再生装置の充電動作を実行し、デフラグの実行が指示された場合は、記録媒体のデフラグを実行した後に本来の動作を実行することができたが、クレードル機能の実行や充電開始等の動作の実行に先だって、強制的にデフラグを実行するか否かを警告するようにしたものであって、上記問題点を解決するようにしたものではなかった。
本発明は、背景技術の有するこのような問題点に鑑みてなされたものであり、その目的とするところは、光ディスクに記録されている番組の映像音声信号の編集時に、タイトルを消去する場合、ユーザの誤操作による番組の映像音声信号の消去を防止することができるディスク装置を提供しようとするものである。
【課題を解決するための手段】
【０００４】
上記目的を達成するため本発明においては、映像音声信号を書き換え可能な光ディスクに記録再生するディスク装置であって、編集動作の実行を確認する編集確認モードのＯＮ／ＯＦＦを設定する確認モード設定手段と、編集モードのタイトルの消去が選択されたとき、光ディスクに記録されている番組のタイトル一覧を表示する表示手段と、前記表示手段により表示されたタイトル一覧の中の消去するタイトルを選択する選択手段と、前記確認モード設定手段により編集動作の確認モードがＯＮに設定されている場合に、前記選択手段により消去するタイトルが選択されたとき、選択されたタイトルの消去を確認する確認手段と、前記確認手段により確認されたタイトルの消去が選択されたとき、選択されたタイトルの消去を再確認する再確認手段と、前記再確認手段により再確認されたタイトルの消去が選択されたとき、選択されたタイトルを光ディスクから消去する消去手段とを備える。
前記確認手段は、前記選択手段により選択されたタイトルの消去を確認するタイトルの消去の確認画面を表示して、選択されたタイトルの消去を確認するようにするとよい。
前記再確認手段は、前記確認手段により確認されたタイトルの消去を再確認するタイトルの消去の再確認画面を表示して、選択されたタイトルの消去を再確認するようにするとよい。
これらの手段により、光ディスクに記録されている番組の映像音声信号の編集時に、タイトルを消去する場合、ユーザの誤操作による番組の映像音声信号の消去を防止することができる。
【発明の効果】
【０００５】
請求項１記載の発明に係るディスク装置によれば、編集動作の実行を確認する編集確認モードのＯＮ／ＯＦＦを設定し、編集動作の確認モードがＯＮに設定されている場合に、光ディスクに記録されている番組のタイトル一覧の中の消去するタイトルが選択されたとき、選択されたタイトルの消去を確認する確認画面を表示して、選択されたタイトルの消去を確認し、確認されたタイトルの消去が選択されたとき、選択されたタイトルの消去を再確認する再確認画面を表示して、選択されたタイトルの消去を再確認し、再確認されたタイトルの消去が選択されたとき、選択されたタイトルを光ディスクから消去するようにしているので、光ディスクに記録されている番組の映像音声信号の編集時に、タイトルを消去する場合、選択されたタイトルの消去の確認の画面表示を繰り返した上で、選択されたタイトルを光ディスクから消去するようにしているため、ユーザの誤操作による番組の映像音声信号の消去を防止することができる。
請求項２記載の発明に係るディスク装置によれば、編集動作の実行を確認する編集確認モードのＯＮ／ＯＦＦを設定し、編集動作の確認モードがＯＮに設定されている場合に、光ディスクに記録されている番組のタイトル一覧の中の消去するタイトルが選択されたとき、選択されたタイトルの消去を確認し、確認されたタイトルの消去が選択されたとき、選択されたタイトルの消去を再確認し、再確認されたタイトルの消去が選択されたとき、選択されたタイトルを光ディスクから消去するようにしているので、光ディスクに記録されている番組の映像音声信号の編集時に、タイトルを消去する場合、選択されたタイトルの消去の確認を繰り返した上で、選択されたタイトルを光ディスクから消去するようにしているため、ユーザの誤操作による番組の映像音声信号の消去を防止することができる。
請求項３記載の発明に係るディスク装置によれば、光ディスクに記録されている番組のタイトル一覧の中の消去するタイトルが選択されたとき、選択されたタイトルの消去を確認するタイトルの消去の確認画面を表示して、選択されたタイトルの消去を確認するようにしているので、光ディスクに記録されている番組の映像音声信号の編集時に、タイトルを消去する場合、選択されたタイトルの消去を画面表示して確認して、選択されたタイトルを消去するようにしているため、ユーザの誤操作による番組の映像音声信号の消去を防止することができる。
請求項４記載の発明に係るディスク装置によれば、確認されたタイトルの消去が選択されたとき、消去が選択されたタイトルの消去を再確認するタイトルの消去の再確認画面を表示して、選択されたタイトルの消去を再確認するようにしているので、光ディスクに記録されている番組の映像音声信号の編集時に、タイトルを消去する場合、選択されたタイトルの消去を画面表示して再度確認して、選択されたタイトルを光ディスクから消去するようにしているため、ユーザの誤操作による番組の映像音声信号の消去を防止することができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は本発明の一実施例のディスク装置のリモコン装置を示す説明図であり、図３は本発明の一実施例のディスク装置の編集画面の表示例を示す説明図であり、図４は本発明の一実施例のディスク装置の動作を示すフローチャートである。
まず、図１の本発明の一実施例のディスク装置の構成を示すブロック図を基に説明する。
ディスク装置１は、光ディスク２にレーザ光を照射して映像音声信号を光ディスク２に記録するとともに、光ディスク２にレーザ光を照射してその反射光を検出し、光ディスク２に記録されている映像音声信号を読み出す光ピックアップ３と、光ピックアップ３を光ディスク２の半径方向に移動させるスレッドモータ４と、光ディスク２を回転させるスピンドルモータ５と、スレッドモータ４の回転方向、回転速度とスピンドルモータ５の回転速度とをサーボ制御し、光ピックアップ３により検出されたトラッキング誤差信号、フォーカス誤差信号に基づいて光ピックアップ３のトラッキング、フォーカスをサーボ制御するサーボ回路６と、光ピックアップ３により読み出された映像音声信号のＲＦ（Ｒａｄｉｏ  Ｆｒｅｑｕｅｎｃｙ）信号を増幅するとともに、光ディスク２に記録する映像音声信号のＲＦ信号を増幅するＲＦ増幅回路７と、光ピックアップ３により読み出された映像音声信号を基準クロックに基づいて同期検出して復調し、復調された映像音声信号の誤りを訂正して、所定の圧縮方式に基づいて圧縮された映像音声信号を伸張し、復号して映像音声信号を再生するとともに、光ディスク２に記録する映像音声信号を符号化して、符号化された映像音声信号を所定の圧縮方式に基づいて圧縮し、光ピックアップ３により映像音声信号を光ディスク２に記録する記録再生回路８と、文字情報信号を映像信号に重畳して、モニタ装置３０の画面に文字情報を表示するＯＳＤ（Ｏｎ−Ｓｃｒｅｅｎ  Ｃｈａｒａｃｔｅｒ  Ｄｉｓｐｌａｙ）回路９と、ディスク装置１のシステム全体を制御するマイコン１０と、リモコン装置２０から送信された赤外線信号のリモコン信号を受信して、所定の電気信号に変換するリモコン受信部１１とで構成されている。
また、リモコン装置２０には、図２に示すように、ディスク装置１の初期設定等の各種動作モードを設定するメニュ画面の表示を指令するメニュキー２０ａ、メニュ画面等に表示された動作モードを選択するカーソルキー２０ｂ、カーソルキー２０ｂにより選択された動作モードの選択を決定する決定キー２０ｃ等の複数の操作キーが設けられていて、それらの操作キーを操作することによりディスク装置１を所望動作させることができるようになっている。
以上のように構成されたディスク装置について、以下その動作について説明する。
リモコン装置２０のメニュキー２０ａが操作されると、マイコン１０は、ＯＳＤ回路９に文字情報信号と制御信号とを送出して、モニタ装置３０の画面にメニュ画面を表示する（図示せず）。そして、リモコン装置２０のカーソルキー２０ｂと決定キー２０ｃとの操作によりメニュ画面に表示された編集動作の実行を確認する編集確認モードのＯＮ／ＯＦＦが設定され、メニュ画面に表示された編集モードのタイトルの消去が選択されると（いずれも図示せず）、マイコン１０は、サーボ回路６に制御信号を送出して、スピンドルモータ５を回転させて光ディスク２を回転させ、スレッドモータ４を回転させて光ピックアップ３を光ディスク２のリードイン領域に移動させて（いずれも図示せず）、光ピックアップ３により光ディスク２に記録されている番組のタイトル情報を読み出し、ＯＳＤ回路９に文字情報信号と制御信号とを送出して、光ディスク２に記録されている番組のタイトル一覧をモニタ装置３０の画面３０ａに表示する（図３（ａ）参照）。
リモコン装置２０のカーソルキー２０ｂと決定キー２０ｃとの操作によりモニタ装置３０の画面３０ａに表示されたタイトル一覧の中の消去するタイトルが選択されると、マイコン１０は、編集動作の確認モードがＯＮに設定されているか否かを判別する。編集動作の確認モードがＯＮに設定されている場合、マイコン１０は、ＯＳＤ回路９に文字情報信号と制御信号とを送出して、選択されたタイトルの消去を確認するタイトルの消去の確認画面をモニタ装置３０の画面３０ａに表示する（図３（ｂ）参照）。そして、リモコン装置２０のカーソルキー２０ｂと決定キー２０ｃとの操作によりタイトルの消去の確認画面に表示されたタイトルの消去が選択された場合、マイコン１０は、ＯＳＤ回路９に文字情報信号と制御信号とを送出して、選択されたタイトルの消去を再確認するタイトルの消去の再確認画面をモニタ装置３０の画面３０ａに表示する（図３（ｃ）参照）。更に、リモコン装置のキー操作によりタイトルの消去の再確認画面に表示されたタイトルの消去が再度選択された場合、マイコン１０は、選択されたタイトルを光ディスク２から消去する。なお、タイトルの消去の確認画面、或いは、タイトルの消去の再確認画面に表示されたタイトルの消去を取り消すことにより、ユーザが誤って選択した番組のタイトルの消去を防止することができる。
また、編集動作の確認モードがＯＮに設定されていない場合、リモコン装置２０のカーソルキー２０ｂと決定キー２０ｃとの操作によりモニタ装置３０の画面３０ａに表示されたタイトル一覧の中のタイトルが選択されると、マイコン１０は、タイトルの消去の確認画面を表示せずに、選択されたタイトルを光ディスク２から消去する。編集動作の確認モードをＯＦＦに設定することにより、選択されたタイトルの消去の確認が繰り返されないようにすることができるので、選択されたタイトルを光ディスクから容易に消去することができる。
また、図４の本発明の一実施例のディスク装置の動作を示すフローチャートを基に説明する。
リモコン装置のキー操作により編集モードのタイトルの消去が選択されると、ステップＳ１からステップＳ２に進み、ステップＳ２で、リモコン装置のキー操作によりタイトル一覧の中の消去するタイトルが選択されたか否かが判断され、タイトル一覧の中の消去するタイトルが選択された場合、ステップＳ３に進み、タイトル一覧の中の消去するタイトルが選択されていない場合、ステップＳ９に進む。
ステップＳ３で、編集動作の確認モードがＯＮに設定されているか否かが判断され、編集動作の確認モードがＯＮに設定されている場合、ステップＳ４に進み、編集動作の確認モードがＯＮに設定されていない場合、ステップＳ８に進む。
ステップＳ４で、選択されたタイトルの消去を確認するタイトルの消去の確認画面が表示され、ステップＳ５に進む。
ステップＳ５で、リモコン装置のキー操作によりタイトルの消去の確認画面に表示されたタイトルの消去が選択されたか否かが判断され、タイトルの消去の確認画面に表示されたタイトルの消去が選択された場合、ステップＳ６に進み、タイトルの消去の確認画面に表示されたタイトルの消去が選択されず、タイトルの消去の確認画面に表示されたタイトルの消去が取り消された場合、ステップＳ９に進む。
ステップＳ６で、タイトルの消去の確認画面に表示されたタイトルの消去を再確認するタイトルの消去の再確認画面が表示され、ステップＳ７に進む。
ステップＳ７で、リモコン装置のキー操作によりタイトルの消去の再確認画面に表示されたタイトルの消去が再度選択されたか否かが判断され、タイトルの消去の再確認画面に表示されたタイトルの消去が再度選択された場合、ステップＳ８に進み、タイトルの消去の再確認画面に表示されたタイトルの消去が再度選択されず、タイトルの消去の再確認画面に表示されたタイトルの消去が取り消された場合、ステップＳ９に進む。
ステップＳ８で、選択されたタイトルの映像音声信号が光ディスクから消去されて、ステップＳ９に進む。
ステップＳ９で、リモコン装置のキー操作により編集モードのタイトルの消去の終了が選択されたか否かが判断され、編集モードのタイトルの消去の終了が選択された場合、ステップＳ１０に進んで処理を終了し、編集モードのタイトルの消去の終了が選択されていない場合、ステップＳ２に戻って、ステップＳ２からのステップを繰り返す。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク装置の構成を示すブロック図である。
【図２】本発明の一実施例のディスク装置のリモコン装置を示す説明図である。
【図３】本発明の一実施例のディスク装置の編集画面の表示例を示す説明図である。
【図４】本発明の一実施例のディスク装置の動作を示すフローチャートである。
【符号の説明】
【０００８】
１  ディスク装置
２  光ディスク
３  光ピックアップ
４  スレッドモータ
５  スピンドルモータ
６  サーボ回路
７  ＲＦ増幅回路
８  記録再生回路
９  ＯＳＤ回路
１０  マイコン
１１  リモコン受信部
２０  リモコン装置
２０ａ  メニュキー
２０ｂ  カーソルキー
２０ｃ  決定キー
３０  モニタ装置
３０ａ  画面
【図１】
2007018638.tif 000003
【図２】
2007018638.tif 000004
【図３】
2007018638.tif 000005
【図４】
2007018638.tif 000006